(57)【要約】【課題】動画像を表示する際に、動画像のボケが発生するのを抑制する。【解決手段】制御部は表示デバイスが３色の照明光によって１色ずつ循環的に照明されるように光源の点灯を制御する。制御部は３色の照明光の点灯タイミングに同期して、駆動信号保持部に保持されている３色分の駆動信号を、１色分ずつ選択して変調動作部に印加するように、色選択部を制御し、少なくとも垂直同期信号に同期した画像の切り換わり毎に、黒信号を前記駆動信号に対し挿入して変調動作部に印加するように、黒挿入部を制御する。【選択図】図１
2008020600.tif 000002
【特許請求の範囲】
【請求項１】
カラー画像を表示するための画像表示装置であって、
赤色光と緑色光と青色光の３色の照明光をそれぞれ射出可能な光源を有する照明光学系と、
前記照明光学系から射出された照明光を、与えられた駆動信号に応じて変調するための複数の画素を有する表示デバイスを含む画像表示部と、
前記光源と前記表示デバイスとを制御するための制御部と、
を備え、
前記表示デバイスは、
各画素毎に、前記３色の照明光をそれぞれ変調する際に使用される３色分の駆動信号を保持するための駆動信号保持部と、
前記駆動信号保持部に保持された前記３色分の駆動信号を選択するための色選択部と、
前記色選択部で選択された駆動信号に応じて変調動作を実行する変調動作部と、
黒色を表現させるために使用される黒信号を、前記駆動信号に対して挿入するための黒挿入部と、
を有しており、
前記制御部は、前記表示デバイスが前記３色の照明光によって１色ずつ循環的に照明されるように前記光源の点灯を制御すると共に、前記３色の照明光の点灯タイミングに同期して、前記駆動信号保持部に保持されている前記３色分の駆動信号を、１色分ずつ選択して前記変調動作部に印加するように、前記色選択部を制御し、少なくとも垂直同期信号に同期した画像の切り換わり毎に、前記黒信号を前記駆動信号に対し挿入して前記変調動作部に印加するように、前記黒挿入部を制御することを特徴とする画像表示装置。
【請求項２】
請求項１に記載の画像表示装置において、
前記制御部は、前記駆動信号における前記３色の切り換わり毎に、前記黒信号を前記駆動信号に対して挿入するように、前記黒挿入部を制御することを特徴とする画像表示装置。
【請求項３】
請求項１または請求項２に記載の画像表示装置において、
前記駆動信号に対して挿入される前記黒信号の挿入期間の長さは、任意に設定可能であることを特徴とする画像表示装置。
【請求項４】
請求項１ないし請求項３のうちの任意の１つに記載の画像表示装置において、
前記制御部は、前記駆動信号に挿入された前記黒信号が前記変調動作部に印加される際には、前記表示デバイスが前記照明光によって照明されないように前記光源の消灯を制御することを特徴とする画像表示装置。
【請求項５】
請求項４に記載の画像表示装置において、
前記光源を常時点灯させたと仮定した場合に、前記照明光として所望の明るさを得るために必要な電力をＥとすると、前記制御部は、下記の式（１）を満足する電力Ｅ’が、前記光源を点灯させた際に前記光源に対して供給されるよう、前記光源の点灯を制御することを特徴とする画像表示装置。
Ｅ’＝（１＋Ｒ）×Ｅ      （１）
但し、Ｒは、前記光源の消灯期間の長さと点灯期間の長さの比である。
【請求項６】
カラー画像を表示させるための表示デバイスであって、
赤色光と緑色光と青色光の３色の照明光によって１色ずつ循環的に照明されると共に、照明された前記照明光を、与えられた駆動信号に応じて変調し得る複数の画素と、
各画素毎に、前記３色の照明光をそれぞれ変調する際に使用される３色分の駆動信号を保持するための駆動信号保持部と、
前記駆動信号保持部に保持された前記３色分の駆動信号を選択するための色選択部と、
前記色選択部で選択された駆動信号に応じて変調動作を実行する変調動作部と、
黒色を表現させるために使用される黒信号を、前記駆動信号に対して挿入するための黒挿入部と、
を備え、
前記色選択部は、前記３色の照明光の点灯タイミングに同期して、前記駆動信号保持部に保持されている前記３色分の駆動信号を、１色分ずつ選択して前記変調動作部に印加させると共に、前記黒挿入部は、少なくとも垂直同期信号に同期した画像の切り換わり毎に、前記黒信号を前記駆動信号に対し挿入して前記変調動作部に印加させることを特徴とする表示デバイス。
【請求項７】
請求項６に記載の表示デバイスにおいて、
前記黒挿入部は、前記駆動信号における前記３色の切り換わり毎に、前記黒信号を前記駆動信号に対して挿入することを特徴とする表示デバイス。
【請求項８】
請求項６または請求項７に記載の表示デバイスにおいて、
前記駆動信号に対して挿入される前記黒信号の挿入期間の長さは、任意に設定可能であることを特徴とする表示デバイス。
【発明の詳細な説明】
【技術分野】
【０００１】
本発明は、カラー画像の表示技術に関し、特に、動画像のボケを改善するのに好適な技術に関するものである。
【背景技術】
【０００２】
従来では、例えば、下記の特許文献１に記載されているように、表示デバイスとして単板変調パネルを用いたカラー画像表示装置が知られている。
【０００３】
かかるカラー画像表示装置では、単板変調パネルが、各画素毎に、３色の照明光をそれぞれ変調する際に使用される３色分の駆動信号を保持するための駆動信号保持部と、駆動信号保持部に保持された３色分の駆動信号を選択するための色選択部と、色選択部で選択された駆動信号に応じて変調動作を実行する変調動作部と、を有している。そして、３つの光源は、単板変調パネルが３色の照明光によって１色ずつ循環的に照明されるように制御される。また、色選択部は、駆動信号保持部に保持されている３色分の駆動信号のうちの１つを３色の照明光の点灯タイミングに同期して切り換えつつ変調動作部に印加するように制御される。このようにして、各画素の駆動信号保持部に３色分の駆動信号が保持されているので、これらを１つずつ選択して変調動作部に印加することによって、単板変調パネルを用いてカラー画像を表示することを可能としている。
【０００４】
【特許文献１】特開２００１−６７０１０号公報
【発明の開示】
【発明が解決しようとする課題】
【０００５】
上記した単板変調パネルとしては、通常、液晶パネルなどが用いられる。この液晶パネルは、各画素が蓄積型の表示素子で構成される表示デバイス(以下、「蓄積型表示デバイス」と呼ぶ)である。蓄積型表示デバイスは、信号周波数の高域での応答特性が低下する低域通過型の時間周波数特性を有しているため、例えば、液晶パネルで動画像を表示する場合、動画像中の物体の移動速度に応じて画像にボケ(以下、「動画像のボケ」と呼ぶ)が発生するという問題がある。また、蓄積型表示デバイスで動画像を表示する場合、人間の目が蓄積型表示デバイス上を動く物体を観測した際に網膜上に残像が起こることにより、動画像のボケが発生するという問題がある。
【０００６】
従って、本発明の目的は、上記した従来技術の問題点を解決し、動画像を表示する際に、動画像のボケが発生するのを抑制することが可能な技術を提供することにある。
【課題を解決するための手段】
【０００７】
上記した目的の少なくとも一部を達成するために、本発明の画像表示装置は、カラー画像を表示するための画像表示装置であって、
赤色光と緑色光と青色光の３色の照明光をそれぞれ射出可能な光源を有する照明光学系と、
前記照明光学系から射出された照明光を、与えられた駆動信号に応じて変調するための複数の画素を有する表示デバイスを含む画像表示部と、
前記光源と前記表示デバイスとを制御するための制御部と、
を備え、
前記表示デバイスは、
各画素毎に、前記３色の照明光をそれぞれ変調する際に使用される３色分の駆動信号を保持するための駆動信号保持部と、
前記駆動信号保持部に保持された前記３色分の駆動信号を選択するための色選択部と、
前記色選択部で選択された駆動信号に応じて変調動作を実行する変調動作部と、
黒色を表現させるために使用される黒信号を、前記駆動信号に対して挿入するための黒挿入部と、
を有しており、
前記制御部は、前記表示デバイスが前記３色の照明光によって１色ずつ循環的に照明されるように前記光源の点灯を制御すると共に、前記３色の照明光の点灯タイミングに同期して、前記駆動信号保持部に保持されている前記３色分の駆動信号を、１色分ずつ選択して前記変調動作部に印加するように、前記色選択部を制御し、少なくとも垂直同期信号に同期した画像の切り換わり毎に、前記黒信号を前記駆動信号に対し挿入して前記変調動作部に印加するように、前記黒挿入部を制御することを要旨とする。
【０００８】
また、本発明の表示デバイスは、カラー画像を表示させるための表示デバイスであって、
赤色光と緑色光と青色光の３色の照明光によって１色ずつ循環的に照明されると共に、照明された前記照明光を、与えられた駆動信号に応じて変調し得る複数の画素と、
各画素毎に、前記３色の照明光をそれぞれ変調する際に使用される３色分の駆動信号を保持するための駆動信号保持部と、
前記駆動信号保持部に保持された前記３色分の駆動信号を選択するための色選択部と、
前記色選択部で選択された駆動信号に応じて変調動作を実行する変調動作部と、
黒色を表現させるために使用される黒信号を、前記駆動信号に対して挿入するための黒挿入部と、
を備え、
前記色選択部は、前記３色の照明光の点灯タイミングに同期して、前記駆動信号保持部に保持されている前記３色分の駆動信号を、１色分ずつ選択して前記変調動作部に印加させると共に、前記黒挿入部は、少なくとも垂直同期信号に同期した画像の切り換わり毎に、前記黒信号を前記駆動信号に対し挿入して前記変調動作部に印加させることを要旨とする。
【０００９】
このように、本発明の画像表示装置または表示デバイスでは、色選択部が、３色の照明光の点灯タイミングに同期して、駆動信号保持部に保持されている３色分の駆動信号を、１色分ずつ選択して変調動作部に印加させている。そして、黒挿入部が、少なくとも垂直同期信号に同期した画像の切り換わり毎に、黒信号を駆動信号に対し挿入して変調動作部に印加させている。
【００１０】
従って、本発明の画像表示装置または表示デバイスによれば、垂直同期信号に同期した画像の切り換えの合間に、それぞれ、黒画像が挿入されるため、動画像を表示する場合には、表示デバイスにおける各画素において、先に表示していた画像に対応する状態から、一旦黒画像を表示する状態にリセットしてから、次の画像を表示させることができる。こうして、先に表示していた状態の影響をキャンセルすることができるので、動画像のボケが発生するのを抑制することができる。また、人間の脳にとっても、黒画像表示前に表示されていた画像が、黒画像の表示により一旦リセットされて、残像として残りにくくなるため、この点においても、動画像のボケが発生するのを抑制することができる。
【００１１】
本発明の画像表示装置または表示デバイスにおいて、前記制御部は、前記駆動信号における前記３色の切り換わり毎に、前記黒信号を前記駆動信号に対して挿入するように、前記黒挿入部を制御することが好ましい。
【００１２】
このように構成することにより、駆動信号における３色の切り換えの合間に、それぞれ、黒画像が挿入されることになるため、表示デバイスにおける各画素において、先に表示していた色の画像に対応する状態から、一旦黒画像を表示する状態にリセットしてから、次の色の画像を表示させることができ、先に表示していた状態の影響をキャンセルすることができる。また、人間の脳にとっても、黒画像表示前に表示されていた色の画像が、黒画像の表示によって一旦リセットされて、残像として残りにくくなるため、いわゆるカラーブレイクアップ効果を抑制することができる。
【００１３】
本発明の画像表示装置または表示デバイスにおいて、前記駆動信号に対して挿入される前記黒信号の挿入期間の長さは、任意に設定可能であることが好ましい。
【００１４】
このように構成することにより、動画像のボケの発生具合に応じて、黒信号の挿入期間の長さを調整することが可能となり、動画像のボケが発生するのを効果的に抑制することができる。
【００１５】
本発明の画像表示装置において、前記制御部は、前記駆動信号に挿入された前記黒信号が前記変調動作部に印加される際には、前記表示デバイスが前記照明光によって照明されないように前記光源の消灯を制御することが好ましい。
【００１６】
このように構成することにより、変調動作部に黒信号が印加される際には、表示デバイスに光が照明されないため、黒画像を表示する際に、黒色が浮いたりすることがなく、コントラストを向上させることができる。
【００１７】
本発明の画像表示装置において、前記光源を常時点灯させたと仮定した場合に、前記照明光として所望の明るさを得るために必要な電力をＥとすると、前記制御部は、下記の式（１）を満足する電力Ｅ’が、前記光源を点灯させた際に前記光源に対して供給されるよう、前記光源の点灯を制御することが好ましい。
Ｅ’＝（１＋Ｒ）×Ｅ      （１）
但し、Ｒは、前記光源の消灯期間の長さと点灯期間の長さの比である。
【００１８】
こうすることにより、点灯期間に光源に供給される電力Ｅ’は、常時点灯させた場合に必要な電力Ｅに比較して、消灯期間の長さと点灯期間の長さの比Ｒの分だけ増加するので、照明光として所望の明るさを維持させることができる。
【００１９】
なお、本発明は、上記した画像表示装置や表示デバイスなどの装置発明の態様に限ることなく、画像表示方法などの方法発明としての態様で実現することも可能である。
【発明を実施するための最良の形態】
【００２０】
以下、本発明の実施の形態を実施例に基づいて以下の順序で説明する。
Ａ．第１の実施例：
Ａ−１．第１の実施例の構成：
Ａ−２．液晶パネル３０の回路構成：
Ａ−３．液晶パネル３０の動作：
Ａ−４．第１の実施例の効果：
Ｂ．第２の実施例：
Ｂ−１．液晶パネル３０の動作：
Ｂ−２．第２の実施例の効果：
Ｃ．変形例：
【００２１】
Ａ．第１の実施例：
Ａ−１．第１の実施例の構成：
図１は本発明の第１の実施例としての画像表示装置の全体構成を示すブロック図である。この画像表示装置は、いわゆる液晶プロジェクタであり、照明装置２０と、平行化レンズ２６と、変調パネルである単板式の液晶パネル３０と、液晶パネル３０で変調された画像光をスクリーンＳＣ上に投射する投写光学系４０と、制御回路１００と、を備えている。
【００２２】
照明装置２０は、赤色（Ｒ），緑色（Ｇ），青色（Ｂ）にそれぞれ対応する３つの放電管２２Ｒ，２２Ｇ，２２Ｂと、リフレクタ２４と、を有している。３つの放電管２２Ｒ，２２Ｇ，２２Ｂは、１つずつ選択的に点灯して、ＲＧＢの３色の照明光をそれぞれ射出する。射出された照明光は、いずれも、平行化レンズ２６を介して液晶パネル３０を照明する。また、１つの放電管の点灯と、次の放電管の点灯と、の間には、消灯期間が設けられており、そのため、照明装置２０全体としては、点灯と消灯とを交互に繰り返すこととなる。制御回路１００は、各放電管２２Ｒ，２２Ｇ，２２Ｂの点灯と消灯を制御する。具体的には、制御回路１００は、各放電管２２Ｒ，２２Ｇ，２２Ｂが約１／６０秒程度の周期で点滅するように制御する。
【００２３】
なお、放電管２２Ｒ，２２Ｇ，２２Ｂとしては、例えば、白色光を射出する放電管の内部または外部に、Ｒ，ＧまたはＢでカラーコーティングを施したものを使用することができる。あるいは、放電管２２Ｒ，２２Ｇ，２２Ｂとして、Ｒ，ＧまたはＢの光を発光することが可能な所望の発光ガスを封入したものを使用するようにしてもよい。また、放電管としては、特に、「フラッシュランプ」または「パルスランプ」と呼ばれている周期的に点滅可能なランプを用いることが好ましい。この理由は、前述したとおり、各放電管が約１／６０秒程度の短い周期で点滅するように制御されるからである。このようなフラッシュランプやパルスランプとしては、キセノンランプが利用可能である。また、このような放電管に代えて、高輝度のＬＥＤ群を用いるようにしてもよい。
【００２４】
平行化レンズ２６は、液晶パネル３０に入射する照明光の平行度を高めるためのものである。従って、３つの放電管２２Ｒ，２２Ｇ，２２Ｂから射出される照明光の平行度が十分に高い場合には、平行化レンズ２６は省略可能である。
【００２５】
液晶パネル３０は、照明光を変調しつつ透過する透過型のライトバルブとして使用されている。３つの放電管２２Ｒ，２２Ｇ，２２Ｂは、１つずつ順次点灯するので、液晶パネル３０は、３色の照明光によって循環的に照明される。これに対し、制御回路１００は、液晶パネル３０の照明光の色の切換タイミングに同期して、液晶パネル３０において使用される駆動信号の色成分を切り換える。この結果、スクリーンＳＣには、ＲＧＢの３原色の画像が循環的に表示される。各放電管２２Ｒ，２２Ｇ，２２Ｂの点灯周波数は、６０Ｈｚ程度であり、視覚的には十分高速に切り換えられるので、観察者にはカラー画像が表示されているように見える。また、前述したとおり、１つの放電管の点灯と、次の放電管の点灯と、の間は、消灯期間が設けられおり、照明装置２０全体としては、点灯と消灯とを交互に繰り返すので、液晶パネル３０は、間欠的に照明されることになる。これに対し、制御回路１００は、液晶パネル３０に光が照明されない期間（すなわち、消灯期間）、黒色を表現させるための黒信号を、駆動信号に挿入させる。この結果、スクリーンＳＣには、この期間だけ、黒画像が表示されることになる。
【００２６】
なお、本実施例において、照明装置２０と平行化レンズ２６とが、請求項における照明光学系に、液晶パネル３０と投写光学系４０とが、請求項における画像表示部に、制御回路１００が、請求項における制御部に、それぞれ相当する。また、３つの放電管２２Ｒ，２２Ｇ，２２Ｂが、請求項における光源に、液晶パネル３０が、請求項における表示デバイスに、それぞれ相当する。
【００２７】
図２は図１における制御回路１００の内部構成を示すブロック図である。この制御回路１００は、コンポーネント・アナログ画像入力端子１０２と、コンポジット・アナログ画像入力端子１０４と、デジタル画像入力端子１０６と、Ａ−Ｄ変換器１１０と、アナログ・ビデオデコーダ（同期分離回路）１１２と、デジタル・ビデオデコーダ１１４と、ビデオプロセッサ１２０と、液晶パネル３０を駆動するための液晶パネル駆動回路１３０と、同期調整回路１４０と、３つの放電管２２Ｒ，２２Ｇ，２２Ｂを制御するための放電管コントローラ１５０と、を備えるコンピュータシステムである。入力画像信号としては、３つの入力端子１０２，１０４，１０６に入力された３組の画像信号のうちのいずれか１つを選択的に利用可能である。
【００２８】
ビデオプロセッサ１２０は、ビデオメモリ１２１と、ビデオメモリコントローラ１２２と、拡大／縮小処理回路１２３と、画像フィルタ回路１２４と、色変換回路１２５と、ガンマ補正回路１２６とを有している。回路１２３〜１２６は、それぞれ専用のハードウェア回路で構成されている。但し、これらの回路１２３〜１２６の機能は、ビデオプロセッサ１２０内の図示しないＣＰＵがプログラムを実行することによっても実現可能である。
【００２９】
ビデオプロセッサ１２０に入力された画像信号は、ビデオメモリ１２１内に一旦格納された後に読み出されて液晶パネル駆動回路１３０に供給される。なお、ビデオプロセッサ１２０は、この書き込みと読み出しの間に、入力された画像信号に対して、拡大／縮小や、フィルタ処理、色変換、ガンマ補正などの種々の画像処理を実行する。液晶パネル駆動回路１３０は、与えられた画像信号ＤＲ，ＤＧ，ＤＢに応じて、液晶パネル３０を駆動するための駆動信号ＹＲ，ＹＧ，ＹＢを生成する。液晶パネル３０は、これらの駆動信号ＹＲ，ＹＧ，ＹＢに応じて３色の照明光をそれぞれ変調する。
【００３０】
Ａ−２．液晶パネル３０の回路構成：
図３は図１における液晶パネル３０の回路構成を示す回路図である。この液晶パネル３０は、データ線制御回路１６０と、ゲート線制御回路１７０と、黒信号発生部１９０と、を有している。一点鎖線で囲まれた回路２００は、１画素分の回路である。以下では、この１画素分の回路２００を「セル」とも呼ぶ。セル２００は、従来の液晶パネルに比べて複雑な構成を有しているが、この構成の詳細については後述する。
【００３１】
セル２００は、マトリクス状に配列されている。セル・マトリクスの各列には、３色の駆動信号ＹＲ，ＹＧ，ＹＢをそれぞれ伝送するための３本のデータ線１６２がそれぞれ設けられている。各列の３本のデータ線１６２には、３本のデータ線をそれぞれオン／オフ制御するための３つのデータ線スイッチ１６４が設けられている。また、セル・マトリクスの各行には、１本のゲート線１７２がそれぞれ設けられている。
【００３２】
図４は図３における１つのセル２００の回路構成を示す回路図である。このセル２００は、１次保持部２１０と、一括転送部２２０と、２次保持部２３０と、色選択部２４０と、黒挿入部２４５と、変調動作部２５０と、に区分できる。１次保持部２１０は、データ線１６２と接地線との間に直列に接続された第１のゲート２１２および第１の保持容量２１４を有している。データ線１６２は、Ｒ，Ｇ，Ｂの３色分の駆動信号ＹＲ，ＹＧ，ＹＢのために３本設けられており、第１のゲート２１２および第１の保持容量２１４も、３本のデータ線に対応して３組設けられている。
【００３３】
一括転送部２２０は、１次保持部２１０のゲート２１２と保持容量２１４との間の節点に入力端子がそれぞれ接続された３つの第１のバッファ回路２２２と、各バッファ回路２２２の出力端子にそれぞれ接続された３つの第２のゲート２２４とを有している。２次保持部２３２は、一括転送部２２０の第２のゲート２２４の出力側端子と接地線との間にそれぞれ接続された３つの第２の保持容量２３２を有している。色選択部２４０は、一括転送部２２０のゲート２２４と第２の保持容量２３２との間の節点に入力端子がそれぞれ接続された３つの第２のバッファ回路２４２と、３つのバッファ回路２４２の３つの出力の中の１つを選択して出力するセレクタ２４４と、を有している。
【００３４】
黒挿入部２４５は、セレクタ２４６を有している。セレクタ２４６には、セレクタ２４４からの出力信号が入力される他、黒信号発生部１９０（図３）から黒信号線１９２を介して黒信号Ｖｂが入力される。セレクタ２４６は、これら２つの信号のうち、何れか一方を選択して出力する。なお、黒信号Ｖｂは、画素に黒を表現させるための電圧信号である。変調動作部２５０は、セレクタ２４６の出力端子と接地線との間に並列に接続された１画素分の液晶２５２および蓄積容量２５４を有している。
【００３５】
なお、本実施例において、１次保持部２１０，一括転送部２２０及び２次保持部２３０が、請求項における駆動信号保持部に相当する。
【００３６】
３つのデータ線スイッチ１６４は、データ線制御回路１６０（図３）からセル・マトリクスの各列毎に供給される水平ゲート信号ＳＬＨに従って同時にオン／オフする。この結果、１列分の複数のセルに接続されている３本のデータ線１６２に、３色分の駆動信号ＹＲ，ＹＧ，ＹＢが同時に供給される。
【００３７】
各セルの３つの第１のゲート２１２には、ゲート線制御回路１７０（図３）からゲート信号線１７２を介して垂直ゲート信号ＳＬＶが供給されている。この垂直ゲート信号線ＳＬＶはセル・マトリクスの各行毎に供給されており、この結果、１行分の複数のセルの第１のゲート２１２が同時にオン／オフ制御される。
【００３８】
３つの第２のゲート２２４には、液晶パネル駆動回路１３０（図２）から一括転送信号線１８２を介して一括転送信号ＳＬＴが供給されている。この一括転送信号ＳＬＴは、液晶パネル３０のすべてのセルに同時に供給される。セレクタ２４４には、液晶パネル駆動回路１３０から色選択信号線１８０を介して色選択信号ＲＧＢＳＥＬが供給されている。この色選択信号ＲＧＢＳＥＬも、液晶パネル３０のすべてのセルに同時に供給される。セレクタ２４６にも、液晶パネル駆動回路１３０から黒選択信号線１９４を介して黒選択信号ＢＬＳＥＬが供給されている。この黒選択信号ＢＬＳＥＬも、液晶パネル３０のすべてのセルに同時に供給される。
【００３９】
図３および図４に示した本実施例の液晶パネル３０では、以下に説明するように、Ｒ，Ｇ，Ｂの３色分の駆動信号ＹＲ，ＹＧ，ＹＢを一括して各セルに保持しておき、３色の放電管２２Ｒ，２２Ｇ，２２Ｂの点灯タイミングに応じて各色成分の駆動信号を液晶２５２に印加して動作させることが可能である。また、照明装置２０全体の消灯タイミングに応じて黒信号Ｖｂを液晶２５２に供給するようにしている。
【００４０】
Ａ−３．液晶パネル３０の動作：
図５は図１における液晶パネル３０の動作を示すタイミングチャートである。垂直同期信号Ｖｓｙｎｃ（図５（ａ））は、図示しない垂直同期信号やドットクロック信号とともにビデオプロセッサ１２０内で生成され、液晶パネル駆動回路１３０や同期調整回路１４０に供給されている。同期調整回路１４０は、これらの同期信号に応じて、液晶パネル駆動回路１３０と放電管コントローラ１５０の動作が同期するように、両者の動作を調整している。この例では、垂直同期信号Ｖｓｙｎｃは６０Ｈｚとなっている。
【００４１】
そこで、液晶パネル駆動回路１３０は、図５（ｉ）に示すように、Ｒ成分，Ｇ成分，Ｂ成分の各選択期間として、１垂直周期Ｔをほぼ３等分するような色選択信号ＲＧＢＳＥＬを生成する。また、液晶パネル駆動回路１３０は、図５（ｊ）に示すように、Ｒ成分，Ｇ成分，Ｂ成分の各選択期間において、それぞれ、その選択期間のうち、後半の約３０％の期間がＨレベルとなるような黒選択信号ＢＬＳＥＬを生成する。
【００４２】
一方、放電管コントローラ１５０は、色選択信号ＲＧＢＳＥＬ（図５（ｉ））に同期して、Ｒ成分の選択期間では、Ｒ用の放電管２２Ｒを、Ｇ成分の選択期間では、Ｇ用の放電管２２Ｇを、Ｂ成分の選択期間では、Ｂ用の放電管２２Ｂをそれぞれ点灯するように、３つの放電管２２Ｒ，２２Ｇ，２２Ｂを制御する（図５（ｍ））。この結果、３つの放電管２２Ｒ，２２Ｇ，２２Ｂは、垂直周期Ｔと同じ周期で（すなわち、６０Ｈｚで）それぞれ１回ずつ点灯するように制御される。なお、このように、３つの放電管２２Ｒ、２２Ｇ、２２Ｂの点灯周波数が６０Ｈｚである場合を、「色循環サイクルが６０Ｈｚである」と言う。
【００４３】
さらに、放電管コントローラ１５０は、黒選択信号ＢＬＳＥＬ（図５（ｊ））に同期して、少なくとも黒選択信号ＢＬＳＥＬがＨレベルの期間は、全ての放電管が消灯するように、３つの放電管２２Ｒ，２２Ｇ，２２Ｂを制御する（図５（ｌ），（ｍ））。前述したとおり、黒選択信号ＢＬＳＥＬのＨレベル期間は、Ｒ成分，Ｇ成分，Ｂ成分の各選択期間において、それぞれ、後半の約３０％の期間となる。すなわち、Ｒ成分，Ｇ成分，Ｂ成分の各選択期間において、対応する色の放電管が点灯するのは、前半の７０％の期間となる。
【００４４】
各放電管が、対応する選択期間点灯し続けた場合（すなわち、１００％の期間点灯し続けた場合）に、スクリーンＳＣ上で所望の明るさを得るために、それら放電管に供給すべき電力をＥとする。本実施例において、何れかの放電管が点灯するのは、上述したとおり、或る選択期間において、前半の約７０％の期間であり、全ての放電管が消灯するのは後半の約３０％の期間であるので、放電管コントローラ１５０は、点灯期間にそれら放電管に供給すべき電力Ｅ’として、（１＋３０／７０）×Ｅの電力を供給するようにしている。
【００４５】
つまり、それら放電管に供給すべき電力Ｅ’は、下記の式（１）を満足するように設定されている。
Ｅ’＝（１＋Ｒ）×Ｅ      （１）
但し、Ｒは、或る選択期間における、全ての放電管が消灯する消灯期間の長さと対応する放電管が点灯する点灯期間の長さの比（すなわち、消灯期間の長さ／点灯期間の長さ）である。
【００４６】
さて、垂直同期信号Ｖｓｙｎｃの１パルスが発生すると、１垂直周期Ｔの間に垂直ゲート信号ＳＬＶ００１〜ＳＬＶ６００（図５（ｃ）〜（ｅ））が１つずつ順次Ｈレベルになる。各ゲート信号ＳＬＶがＨレベル状態に保たれている間に、水平ゲート信号ＳＬＨ００１〜ＳＬＨ８００（図５（ｆ），（ｇ））が１つずつ順次Ｈレベルになる。なお、ここでは液晶パネル３０が６００×８００画素の大きさを有しているものと仮定している。また、垂直ゲート信号ＳＬＶ００１〜ＳＬＶ６００や水平ゲート信号ＳＬＨ００１〜ＳＬＨ８００の一部は、便宜上、図示が省略されている。なお、水平ゲート信号ＳＬＨ００１〜ＳＬＨ８００は、１つずつＨレベルになる必要はなく、数列分の水平ゲート信号ＳＬＨが同時にＨレベルになるようにしてもよい。
【００４７】
１つの垂直ゲート信号ＳＬＶがＨレベルになると、その行のすべてのセルの第１のゲート２１２（図４）がオン状態となる。この状態において、１つのデータ線スイッチ信号ＳＬＨがＨレベルになると、１つのセルのデータ線スイッチ１６４がオン状態となる。この結果、セルの第１の保持容量２１４に３色分の駆動信号ＹＲ、ＹＧ、ＹＢが蓄積される。なお、液晶パネル駆動回路１３０（図２）は、水平ゲート信号ＳＬＨ００１〜ＳＬＨ８００がＨレベルになるタイミングに同期して、各セルに印加すべき３色分の駆動信号ＹＲ，ＹＧ，ＹＢ（図５（ｂ））を３本の駆動信号線１６２を介して供給している。従って、水平ゲート信号ＳＬＨ００１〜ＳＬＨ８００が順次Ｈレベルになると、各セルに３色分の駆動信号ＹＲ，ＹＧ，ＹＢがそれぞれ保持されてゆく。
【００４８】
こうして、６００行×８００画素のすべてのセルの第１の保持容量２１４に３色分の駆動信号ＹＲ，ＹＧ，ＹＢが蓄積された後、次の垂直周期Ｔにおいて放電管が点灯を始める前に、液晶パネル３０の全セルに共通に一括転送信号ＳＬＴ（図５（ｈ））が供給される。一括転送信号ＳＬＴがＨレベルになると、各セル内の一括転送部２２０のゲート２２４（図４）がオン状態となり、この結果、第１の保持容量２１４に保持されていた駆動信号ＹＲ，ＹＧ，ＹＢがバッファ２２２を介して一括して第２の保持容量２３２に供給され、蓄積される。こうして第２の保持容量２３２には、３色分の駆動信号ＹＲ，ＹＧ，ＹＢが保持される。
【００４９】
一括転送信号ＳＬＴがＨレベルになった後、続いて、色選択信号ＲＧＢＳＥＬ（図５（ｉ））がＲ成分を選択するレベルになると、セル内のセレクタ２４４が切り替わり、Ｒ成分の駆動信号ＹＲが第２の保持容量２３２からバッファ２４２を介して、セレクタ２４６の一方の入力端子に供給される。このとき、黒選択信号ＢＬＳＥＬ（図５（ｊ））はＬレベルであって、セル内のセレクタ２４６は、セレクタ２４４の出力信号を選択することになるため、セレクタ２４６に供給されたＲ成分の駆動信号ＹＲは、そのまま液晶２５２および蓄積容量２５４に供給される。この結果、液晶パネルの全セルの液晶２５２には、液晶駆動信号（図５（ｋ））として、各セルに予め供給されていたＲ成分の駆動信号ＹＲが印加される。
【００５０】
次に、黒選択信号ＢＬＳＥＬ（図５（ｊ））がＬレベルからＨレベルに変化すると、セレクタ２４６が切り替わり、黒信号Ｖｂを選択して駆動信号に挿入することになるため、液晶２５２および蓄積容量２５４には、Ｒ成分の駆動信号ＹＲに代えて、黒信号Ｖｂが供給される。この結果、液晶パネルの全セルの液晶２５２には、液晶駆動信号（図５（ｋ））として、黒信号Ｖｂが印加される。
【００５１】
次に、色選択信号ＲＧＢＳＥＬ（図５（ｉ））が、Ｇ成分を選択するレベルになると、セレクタ２４４がさらに切り替わり、Ｇ成分の駆動信号ＹＧが第２の保持容量２３２からバッファ２４２を介して、セレクタ２４６の一方の入力端子に供給される。このとき、黒選択信号ＢＬＳＥＬ（図５（ｊ））はＨレベルからＬレベルに変化するため、セレクタ２４６は、セレクタ２４４の出力信号を選択することになり、セレクタ２４６に供給されたＧ成分の駆動信号ＹＧは、そのまま液晶２５２および蓄積容量２５４に供給される。この結果、液晶パネルの全セルの液晶２５２には、液晶駆動信号（図５（ｋ））として、各セルに予め供給されていたＧ成分の駆動信号ＹＧが印加される。
【００５２】
その後、黒選択信号ＢＬＳＥＬ（図５（ｊ））が再びＬレベルからＨレベルに変化すると、セレクタ２４６が切り替わり、黒信号Ｖｂを選択して駆動信号に挿入することになるため、液晶２５２および蓄積容量２５４には、Ｇ成分の駆動信号ＹＧに代えて、黒信号Ｖｂが供給される。この結果、液晶パネルの全セルの液晶２５２には、液晶駆動信号（図５（ｋ））として、再び黒信号Ｖｂが印加される。
【００５３】
同様にして、色選択信号ＲＧＢＳＥＬ（図５（ｉ））が、Ｂ成分を選択するレベルになると、セレクタ２４４がさらに切り替わり、Ｂ成分の駆動信号ＹＢが第２の保持容量２３２からバッファ２４２を介して、セレクタ２４６の一方の入力端子に供給される。そして、黒選択信号ＢＬＳＥＬ（図５（ｊ））がＨレベルからＬレベルに変化し、セレクタ２４６は、セレクタ２４４の出力信号を選択することになるため、セレクタ２４６に供給されたＢ成分の駆動信号ＹＢは、そのまま液晶２５２および蓄積容量２５４に供給される。この結果、液晶パネルの全セルの液晶２５２には、液晶駆動信号（図５（ｋ））として、各セルに予め供給されていたＢ成分の駆動信号ＹＢが印加される。
【００５４】
その後、黒選択信号ＢＬＳＥＬ（図５（ｊ））が再びＬレベルからＨレベルに変化すると、液晶２５２および蓄積容量２５４には、Ｂ成分の駆動信号ＹＢに代えて、黒信号Ｖｂが供給される。この結果、液晶パネルの全セルの液晶２５２には、液晶駆動信号（図５（ｋ））として、再び黒信号Ｖｂが印加される。
【００５５】
一方、３つの放電管２２Ｒ，２２Ｇ，２２Ｂは、放電管コントローラ１５０による上述した制御によって、図５（ｍ）に示すように、１つずつ循環的に点灯する。このとき、色選択信号ＲＧＢＳＥＬの切り換えのタイミングは、３色の放電管の点灯のタイミング（図５（ｍ））に同期しているため、液晶パネル３０は、６０Ｈｚの色循環サイクルに従って３色の画像を切り換えつつ表示するように光変調を実行する。この結果、３色の画像が約１／１８０秒周期で順次切り換えられてスクリーンＳＣ（図１）に表示され、肉眼ではカラー画像が観察される。
【００５６】
また、黒選択信号ＢＬＳＥＬ（図５（ｊ））は、色選択信号ＲＧＢＳＥＬ（図５（ｉ）に対して、Ｒ成分，Ｇ成分，Ｂ成分の各選択期間において、それぞれ、その選択期間のうち、後半の約３０％の期間がＨレベルとなるように設定されている。このＨレベル期間では、液晶パネルの全セルの液晶２５２に、液晶駆動信号（図５（ｋ））として、黒信号Ｖｂが印加されているため、液晶パネル３０は、黒画像を表示するように光変換を実行する。この結果、順次切り換えられる３色の画像に対し、或る色の画像から他の色の画像に切り換えられる合間に、黒画像が挿入されて、スクリーンＳＣ（図１）に表示されることになる。
【００５７】
なお、前述したとおり、液晶パネル駆動回路１３０は、図５（ｊ）に示すように、Ｒ成分，Ｇ成分，Ｂ成分の各選択期間において、黒選択信号ＢＬＳＥＬがＨレベルとなる期間を、後半の約３０％の期間としたが、この期間は任意に設定可能となっている。これにより、駆動信号に対して黒信号の挿入される期間を自由に調整することができる。また、上記したとおり、放電管コントローラ１５０は、黒選択信号ＢＬＳＥＬに同期して、少なくとも黒選択信号ＢＬＳＥＬがＨレベルの期間は、全ての放電管が消灯するように、３つの放電管２２Ｒ，２２Ｇ，２２Ｂを制御するため、このように、液晶パネル駆動回路１３０によって黒選択信号ＢＬＳＥＬにおけるＨレベルの期間が変更されれば、それに伴い、放電管コントローラ１５０は、Ｒ成分，Ｇ成分，Ｂ成分の各選択期間において、対応する放電管の点灯期間や消灯期間を変更することになる。
【００５８】
Ａ−４．第１の実施例の効果：
このように、本実施例においては、３色の画像の切り換えの合間に、それぞれ、黒画像が挿入されることになる。これにより、液晶パネル３０における各画素において、先に表示していた色の画像に対応する状態から、一旦黒画像を表示する状態にリセットしてから、次の色の画像を表示させることができるので、先に表示していた状態の影響をキャンセルすることができる。また、人間の脳にとっても、黒画像表示前に表示されていた色の画像が、黒画像の表示によって一旦リセットされて、残像として残りにくくなるため、いわゆるカラーブレイクアップ効果を抑制することができる。
【００５９】
また、本実施例においては、或る垂直周期におけるＢの画像（例えば、Ｂ（Ｎ−１））から、次の垂直周期におけるＲの画像（例えば、Ｒ（Ｎ））に切り換わる合間、すなわち、言い換えれば、或るフレーム画像から、次のフレーム画像に切り換わる合間にも、黒画像が挿入されている。このように、垂直同期信号に同期したフレーム画像の切り換えの合間に、それぞれ、黒画像が挿入されているため、動画像を表示する場合には、液晶パネル３０における各画素において、先に表示していたフレーム画像に対応する状態から、一旦黒画像を表示する状態にリセットしてから、次のフレーム画像を表示させることができる。こうして、先に表示していた状態の影響をキャンセルすることができるので、動画像のボケが発生するのを抑制することができる。また、人間の脳にとっても、黒画像表示前に表示されていたフレーム画像が、黒画像の表示により一旦リセットされて、残像として残りにくくなるため、この点においても、動画像のボケが発生するのを抑制することができる。
【００６０】
また、本実施例においては、黒選択信号ＢＬＳＥＬがＨレベルとなるタイミングは、全ての放電管が消灯するタイミング（図５（ｌ），（ｍ））に同期しているため、液晶パネルの全セルの液晶２５２に黒信号が印加される際には、液晶パネル３０に光が照明されない。従って、黒画像を表示する際に、黒色が浮いたりすることがなく、コントラストを向上させることができる。
【００６１】
さらに、本実施例では、各放電管に供給すべき電力Ｅ’を、上記した式（１）を満足するように設定している。すなわち、点灯期間に各放電管に供給すべき電力Ｅ’を、１００％の期間点灯し続ける場合の電力Ｅに比較して、消灯期間の長さと点灯期間の長さの比Ｒの分だけ増加させているので、スクリーンＳＣ上において、所望の明るさを維持することができる。
【００６２】
また、本実施例においては、黒選択信号ＢＬＳＥＬにおけるＨレベルとなる期間、任意に設定可能となっているので、例えば、動画像のボケの発生具合に応じて、黒信号の挿入期間の長さを調整することができ、動画像のボケが発生するのを効果的に抑制することができる。
【００６３】
Ｂ．第２の実施例：
次に、本発明の第２の実施例としての画像表示装置について説明する。上記した第１の実施例においては、３色の画像の切り換えの合間に、それぞれ、黒画像を挿入するようにしていたが、動画像のボケが発生するのを抑制するためには、少なくとも、フレーム画像の切り換わりの合間に、黒画像を挿入するようにすればよい。そこで、本実施例においては、液晶パネル３０の動作として、図６に示すような動作を行わせるようにしている。なお、本実施例における画像表示装置の構成等は、上記した第１の実施例の場合と同様であるため、それらについての説明は省略する。
【００６４】
Ｂ−１．液晶パネル３０の動作：
図６は本発明の第２の実施例における液晶パネル３０の動作を示すタイミングチャートである。図６において、（ａ）〜（ｈ）の各信号の動作タイミングは、図５に示した（ａ）〜（ｈ）の各信号の動作タイミングと同じであるので、これら信号についての説明は省略する。また、これら信号に関連する液晶パネル３０の動作についても、第１の実施例の場合と同様であるので、これら動作についての説明も省略する。
【００６５】
そこで、液晶パネル駆動回路１３０は、図５（ｉ）に示すように、Ｒ成分，Ｇ成分，Ｂ成分の各選択期間として、１垂直周期Ｔを３つに分割し、かつ、Ｂ成分の選択期間がＲ成分，Ｇ成分の選択期間より長くなるような色選択信号ＲＧＢＳＥＬを生成する。また、液晶パネル駆動回路１３０は、図５（ｊ）に示すように、１垂直周期Ｔのうち、後半の約１０％の期間がＨレベルとなるような黒選択信号ＢＬＳＥＬを生成する。
【００６６】
一方、放電管コントローラ１５０は、色選択信号ＲＧＢＳＥＬ（図５（ｉ））に同期して、Ｒ成分の選択期間では、Ｒ用の放電管２２Ｒを、Ｇ成分の選択期間では、Ｇ用の放電管２２Ｇを、Ｂ成分の選択期間では、Ｂ用の放電管２２Ｂをそれぞれ点灯するように、３つの放電管２２Ｒ，２２Ｇ，２２Ｂを制御する（図５（ｍ））。この結果、３つの放電管２２Ｒ，２２Ｇ，２２Ｂは、垂直周期Ｔと同じ周期で（すなわち、６０Ｈｚで）それぞれ１回ずつ点灯するように制御される。
【００６７】
さらに、放電管コントローラ１５０は、黒選択信号ＢＬＳＥＬ（図５（ｊ））に同期して、少なくとも黒選択信号ＢＬＳＥＬがＨレベルの期間は、全ての放電管が消灯するように、３つの放電管２２Ｒ，２２Ｇ，２２Ｂを制御する（図５（ｌ），（ｍ））。前述したとおり、黒選択信号ＢＬＳＥＬのＨレベル期間は、１垂直周期Ｔのうち、後半の約１０％の期間となる。そして、残りの期間（すなわち、前半の約９０％の期間）は、Ｒ，Ｇ，Ｂでほぼ３等分されて、それぞれ、約３０％の期間ずつ、対応する色の放電管が点灯することになる。
【００６８】
本実施例において、何れかの放電管が点灯するのは、上述したとおり、１垂直周期Ｔのうち、前半の約９０％の期間であり、全ての放電管が消灯するのは後半の約１０％の期間であるので、放電管コントローラ１５０は、それら放電管に供給すべき電力Ｅ’として、上記した式（１）に従い、（１＋１０／９０）×Ｅの電力を供給するようにしている。
【００６９】
但し、この場合、式（１）におけるＲは、１垂直周期Ｔのうち、全ての放電管が消灯する消灯期間の長さと何れかの放電管が点灯する点灯期間の長さの比（すなわち、消灯期間の長さ／点灯期間の長さ）となる。
【００７０】
さて、一括転送信号ＳＬＴ（図６（ｈ））がＨレベルになって、３色分の駆動信号ＹＲ，ＹＧ，ＹＢが第２の保持容量２３２に保持された後に、色選択信号ＲＧＢＳＥＬ（図６（ｉ））がＲ成分を選択するレベルになると、セル内のセレクタ２４４が切り替わり、Ｒ成分の駆動信号ＹＲが第２の保持容量２３２からバッファ２４２を介して、セレクタ２４６の一方の入力端子に供給される。このとき、黒選択信号ＢＬＳＥＬ（図６（ｊ））はＬレベルであって、セル内のセレクタ２４６は、セレクタ２４４の出力信号を選択することになるため、セレクタ２４６に供給されたＲ成分の駆動信号ＹＲは、そのまま液晶２５２および蓄積容量２５４に供給される。この結果、液晶パネルの全セルの液晶２５２には、液晶駆動信号（図６（ｋ））として、各セルに予め供給されていたＲ成分の駆動信号ＹＲが印加される。
【００７１】
次に、色選択信号ＲＧＢＳＥＬ（図６（ｉ））が、Ｇ成分とＢ成分を選択するレベルに順次切り替わり、これに応じて、Ｇ成分とＢ成分の駆動信号ＹＧ，ＹＢが、第２の保持容量２３２からバッファ２４２を介して、セレクタ２４６の一方の入力端子に順次供給される。このとき、黒選択信号ＢＬＳＥＬ（図６（ｊ））は依然としてＬレベルであって、セル内のセレクタ２４６は、セレクタ２４４の出力信号を選択することになるため、セレクタ２４６に供給されたＧ成分とＢ成分の駆動信号ＹＧ，ＹＢは、そのまま液晶２５２および蓄積容量２５４に順次供給される。この結果、液晶パネルの全セルの液晶２５２には、液晶駆動信号（図６（ｋ））として、各セルに予め供給されていたＧ成分とＢ成分の駆動信号ＹＧ，ＹＢが順次印加される。
【００７２】
次に、黒選択信号ＢＬＳＥＬ（図６（ｊ））がＬレベルからＨレベルに変化すると、セレクタ２４６が切り替わり、黒信号Ｖｂを選択して駆動信号に挿入することになるため、液晶２５２および蓄積容量２５４には、Ｂ成分の駆動信号ＹＢに代えて、黒信号Ｖｂが供給される。この結果、液晶パネルの全セルの液晶２５２には、液晶駆動信号（図６（ｋ））として、黒信号Ｖｂが印加される。
【００７３】
一方、３つの放電管２２Ｒ，２２Ｇ，２２Ｂは、放電管コントローラ１５０による上述した制御によって、図６（ｍ）に示すように、１つずつ循環的に点灯する。このとき、色選択信号ＲＧＢＳＥＬの切り換えのタイミングは、３色の放電管の点灯のタイミング（図６（ｍ））に同期しているため、液晶パネル３０は、６０Ｈｚの色循環サイクルに従って３色の画像を切り換えつつ表示するように光変調を実行する。この結果、３色の画像が約１／１８０秒周期で順次切り換えられてスクリーンＳＣ（図１）に表示され、肉眼ではカラー画像が観察される。
【００７４】
また、黒選択信号ＢＬＳＥＬ（図６（ｊ））は、１垂直周期Ｔのうち、後半の約１０％の期間がＨレベルとなるようなるように設定されている。このＨレベル期間では、液晶パネルの全セルの液晶２５２に、液晶駆動信号（図６（ｋ））として、黒信号Ｖｂが印加されているため、液晶パネル３０は、黒画像を表示するように光変換を実行する。この結果、垂直同期信号に同期したフレーム画像の切り換えの合間に、それぞれ、黒画像が挿入されて、スクリーンＳＣ（図１）に表示されることになる。
【００７５】
Ｂ−２．第２の実施例の効果：
このように、本実施例においても、垂直同期信号に同期したフレーム画像の切り換えの合間に、それぞれ、黒画像が挿入されているため、動画像を表示する場合には、液晶パネル３０における各画素において、先に表示していたフレーム画像に対応する状態から、一旦黒画像を表示する状態にリセットしてから、次のフレーム画像を表示させることができる。こうして、先に表示していた状態の影響をキャンセルすることができるので、動画像のボケが発生するのを抑制することができる。また、人間の脳にとっても、黒画像表示前に表示されていたフレーム画像が、黒画像の表示により一旦リセットされて、残像として残りにくくなるため、この点においても、動画像のボケが発生するのを抑制することができる。
【００７６】
また、本実施例においても、黒選択信号ＢＬＳＥＬがＨレベルとなるタイミングは、全ての放電管が消灯するタイミング（図５（ｌ），（ｍ））に同期しているため、液晶パネル３０が黒画像を表示している期間は、液晶パネル３０に光が照明されない。従って、黒画像を表示する際に、黒色が浮いたりすることがなく、コントラストを向上させることができる。
【００７７】
さらに、本実施例でも、各放電管に供給すべき電力Ｅ’を、上記した式（１）を満足するように設定することにより、１００％の期間点灯し続ける場合の電力Ｅに比較して、消灯期間の長さと点灯期間の長さの比Ｒの分だけ増加させているので、スクリーンＳＣ上において、所望の明るさを維持することができる。
【００７８】
Ｃ．変形例：
なお、本発明は上記した実施例や実施形態に限られるものではなく、その要旨を逸脱しない範囲において種々の態様にて実施することが可能である。
【００７９】
Ｃ−１．変形例１：
上記した各実施例においては、液晶パネル３０は、照明光を変調しつつ透過する透過型のライトバルブとして使用されているが、本発明はこれに限定されるものではない。
【００８０】
図７は本発明における変形例としての画像表示装置の全体構成を示すブロック図である。図７に示すように、この変形例では、液晶パネル６０は、照明光を変調しつつ反射する反射型のライトバルブとして使用されている。
【００８１】
このように、本発明の画像表示装置に用いる表示デバイスとしては、照明光を透過する透過型であってもよいし、照明光を反射する反射型であってもよい。また、各画素が蓄積型の表示素子で構成される蓄積型表示デバイスであることが望ましい。
【００８２】
なお、反射型の表示デバイスとしては、反射型の液晶パネルに代えて、ＤＭＤ（デジタルミラーデバイス）（ＴＩ社の商標）などのマイクロミラー型光変調デバイスなどを用いることもできる。
【００８３】
Ｃ−２．変形例２：
上記した実施例においては、色循環サイクルを６０Ｈｚとして動作させるようにしていたが、本発明はこれに限定されるものではなく、他の周波数で動作させるようにしてもよい。
【００８４】
Ｃ−３．変形例３：
上記した実施例においては、色選択部２４０を構成するセレクタ２４４と、黒挿入部２４５を構成するセレクタ２４６と、を別々に設けるようにしたが、これらセレクタを１つのセレクタで置き換えるようにしてもよい。
【００８５】
Ｃ−４．変形例４：
上記した実施例において、動画像は垂直同期信号に同期してフレーム画像単位で切り換わるものとして説明したが、本発明は、動画像が垂直同期信号に同期してフィールド画像単位で切り換わる場合にも、適用できることは言うまでもない。
【００８６】
Ｃ−５．変形例５：
本発明は、プロジェクタ以外の、種々のカラー画像表示装置に適用可能である。例えば、本発明は、監視者が表示デバイスを直視する直視型のカラー画像表示装置や、空間に形成された像を観察する空間像型のカラー画像表示装置にも適用可能である。直視型のカラー画像表示装置としては、コンピュータ用の表示ディスプレイや、車載小型モニタ、デジタルカメラのビューファインダ、携帯電話用の表示部などがある。また、空間像型のカラー画像表示装置としては、ヘッドマウントディスプレイがある。
【図面の簡単な説明】
【００８７】
【図１】本発明の第１の実施例としての画像表示装置の全体構成を示すブロック図である。
【図２】図１における制御回路１００の内部構成を示すブロック図である。
【図３】図１における液晶パネル３０の回路構成を示す回路図である。
【図４】図３における１つのセル２００の回路構成を示す回路図である。
【図５】図１における液晶パネル３０の動作を示すタイミングチャートである。
【図６】本発明の第２の実施例における液晶パネル３０の動作を示すタイミングチャートである。
【図７】本発明における変形例としての画像表示装置の全体構成を示すブロック図である。
【符号の説明】
【００８８】
２０…照明装置
２２Ｒ，２２Ｇ，２２Ｂ…放電管
２４…リフレクタ
２６…平行化レンズ
３０…液晶パネル
４０…投写光学系
６０…液晶パネル
１００…制御回路
１０２…アナログ画像入力端子
１０４…アナログ画像入力端子
１０６…デジタル画像入力端子
１１０…Ａ／Ｄ変換器
１１４…ビデオデコーダ
１２０…ビデオプロセッサ
１２１…ビデオメモリ
１２２…ビデオメモリコントローラ
１２３…拡大／縮小処理回路
１２４…画像フィルタ回路
１２５…色変換回路
１２６…ガンマ補正回路
１３０…液晶パネル駆動回路
１４０…同期調整回路
１５０…放電管コントローラ
１６０…データ線制御回路
１６２…データ線
１６２…駆動信号線
１６４…データ線スイッチ
１７０…ゲート線制御回路
１７２…ゲート信号線
１７２…ゲート線
１８０…色選択信号線
１８２…一括転送信号線
１９０…黒信号発生部
１９２…黒信号線
１９４…黒選択信号線
２００…セル
２００…回路
２１２…第１のゲート
２１４…第１の保持容量
２２０…一括転送部
２２２…第１のバッファ回路
２２４…第２のゲート
２３２…第２の保持容量
２４０…色選択部
２４２…第２のバッファ回路
２４４…セレクタ
２４５…黒挿入部
２４６…セレクタ
２５０…変調動作部
２５２…液晶
２５４…蓄積容量
ＢＬＳＥＬ…黒選択信号
ＤＲ…画像信号
ＲＧＢＳＥＬ…色選択信号
ＳＣ…スクリーン
ＳＬＨ…水平ゲート信号
ＳＬＴ…一括転送信号
ＳＬＶ…垂直ゲート信号
Ｔ…垂直周期
Ｖｂ…黒信号
Ｖｓｙｎｃ…垂直同期信号
ＹＢ…駆動信号
ＹＧ…駆動信号
ＹＲ…駆動信号
【図１】
2008020600.tif 000003
【図２】
2008020600.tif 000004
【図３】
2008020600.tif 000005
【図４】
2008020600.tif 000006
【図５】
2008020600.tif 000007
【図６】
2008020600.tif 000008
【図７】
2008020600.tif 000009